(57)【要約】【課題】操作を簡便にすることができる音響調整装置を提供すること。【解決手段】互いに異なる複数のチャンネルの音響信号をチャンネル毎に調整操作する複数の調整操作器１１１乃至１１６と、複数のチャンネルから分けられるグループの最小番号のチャンネルと最大番号のチャンネルとを選択操作する複数の選択操作器１２１乃至１２７と、最小番号から最大番号までのチャンネルをグループに分けるグループ分け器１５０と、グループに分けられた複数のチャンネルを表示する複数の表示器１８１乃至１８６とを備えた構成を有する。【選択図】　図１
2004064684.tif 000002
【特許請求の範囲】
【請求項１】
互いに異なる複数のチャンネルの音響信号をチャンネル毎に調整操作する複数の調整操作器と、前記複数のチャンネルから分けられるグループの最小番号のチャンネルと最大番号のチャンネルとを選択操作する複数の選択操作器と、前記最小番号から前記最大番号までのチャンネルをグループに分けるグループ分け器と、前記グループに分けられた前記複数のチャンネルを表示する複数の表示器とを備えることを特徴とする音響調整装置。
【請求項２】
前記複数の調整操作器は、前記複数の選択操作器の間に配置され、前記グループ分け器は、前記複数の選択操作器のうち操作された２つの選択操作器の間に配置された前記複数の調整操作器にそれぞれ対応するチャンネルをグループに分けるようにしたことを特徴とする請求項１に記載の音響調整装置。
【請求項３】
前記複数の選択操作器が操作された回数を計数する計数器を備え、前記グループ分け器は、前記回数に基づいて、前記複数の選択操作器のうち連続して操作された２つの選択操作器の間に配置された前記複数の調整操作器にそれぞれ対応するチャンネルをグループに分けるようにしたことを特徴とする請求項２に記載の音響調整装置。
【請求項４】
前記選択操作器が操作されている時間を計時する計時器と、一定時間操作された前記選択操作器に対応するチャンネルを含むグループを解除するグループ解除器とを備えることを特徴とする請求項１乃至請求項３の何れかに記載の音響調整装置。
【請求項５】
前記複数の表示器は、隣り合う前記複数の調整操作器の間に配置されたことを特徴とする請求項１乃至請求項４の何れかに記載の音響調整装置。
【請求項６】
前記複数の表示器は、前記選択操作器と一体に形成されたことを特徴とする請求項５に記載の音響調整装置。
【請求項７】
前記複数の表示器は、グループ毎に互いに異なる色で表示するようにしたことを特徴とする請求項５または請求項６に記載の音響調整装置。
【発明の詳細な説明】
【０００１】
【発明の属する技術分野】
本発明は、複数のチャンネルの音響信号を調整する音響調整装置に関する。
【０００２】
【従来の技術】
従来の音響調整装置を図１１に示す。図１１において、従来の音響調整装置１１００は、複数のチャンネルの音響信号がそれぞれ入力される複数の音響信号入力端子１１１１乃至１１１６と、入力された音響信号について音量および音質を調整する音響信号調整器１１２０と、調整された音響信号を後述の複数の発音体１１４１、１１４２に出力する複数の音響信号出力端子１１３１、１１３２と、入力された音響信号を音に変換して発音する発音体１１４１、１１４２と、複数のチャンネルにそれぞれ対応する複数のフェーダ１１５１乃至１１５６と、複数のチャンネルにそれぞれ対応する複数の選択スイッチ１１６１乃至１１６６と、複数のチャンネルにそれぞれ対応する複数の表示灯１１７１乃至１１７６と、複数の選択スイッチ１１６１乃至１１６６の何れが押下されたかを判定する判定器１１８０とを備える。
【０００３】
前述のように構成された従来の音響信号調整装置１１００において、複数のチャンネルを１つにまとめて調整する際の動作を説明する。
【０００４】
例えば、第１のチャンネル、第２のチャンネル、および第３のチャンネルを１つにまとめて調整する際、まず、操作者によって第１のチャンネルに対応する第１の選択スイッチ１１６１が押下され、判定器１１８０によって第１の選択スイッチ１１６１の押下が判定され、第１のチャンネルに対応する第１の表示灯１１７１が点灯する。次に、操作者によって第２のチャンネルに対応する第２の選択スイッチ１１６２が押下され、判定器１１８０によって第２の選択スイッチ１１６２の押下が判定され、第２のチャンネルに対応する第２の表示灯１１７２が点灯する。次に、操作者によって第３のチャンネルに対応する第３の選択スイッチ１１６３が押下され、判定器１１８０によって第３の選択スイッチ１１６３の押下が判定され、第３のチャンネルに対応する第３の表示灯１１７３が点灯する。
【０００５】
このように、第１の表示灯１１７１、第２の表示灯１１７２、および第３の表示灯１１７３が点灯した状態で、音響信号調整器１１２０によって、第１のチャンネル、第２のチャンネルおよび第３のチャンネルの音響信号について音量および音質が同様に調整される。ここでいう「調整」とは例えば、第１のチャンネルの音響信号と第２のチャンネルの音響信号と第３のチャンネルの音響信号とについて、高周波成分が同様にカットされることを含む。また、調整された音響信号は、音響信号出力端子１１３１、１１３２から出力される。
【０００６】
【発明が解決しようとする課題】
しかしながら、このような従来の音響調整装置１１００では、選択するチャンネルの数の分だけ複数の選択スイッチ１１６１乃至１１６６を押下しなければならず、操作が簡便ではないという問題があった。
【０００７】
本発明は、このような問題を解決するためになされたもので、選択するチャンネルの数の分だけ選択スイッチを押下しなければならなかった従来の音響調整装置と比較して、操作を簡便にすることができる音響調整装置を提供するものである。
【０００８】
【課題を解決するための手段】
本発明の音響調整装置は、互いに異なる複数のチャンネルの音響信号をチャンネル毎に調整操作する複数の調整操作器と、前記複数のチャンネルから分けられるグループの最小番号のチャンネルと最大番号のチャンネルとを選択操作する複数の選択操作器と、前記最小番号から前記最大番号までのチャンネルをグループに分けるグループ分け器と、前記グループに分けられた前記複数のチャンネルを表示する複数の表示器とを備える構成を有している。
【０００９】
この構成により、２つの選択操作器を操作するだけで、複数のチャンネルをグループに分けることができるため、操作を簡便にすることができる。
【００１０】
また、本発明の音響調整装置は、前記複数の調整操作器は、前記複数の選択操作器の間に配置され、前記グループ分け器は、前記複数の選択操作器のうち操作された２つの選択操作器の間に配置された前記複数の調整操作器にそれぞれ対応するチャンネルをグループに分けるようにした構成を有している。
【００１１】
この構成により、複数の調整操作器を間に配置された２つの選択操作器を操作することにより複数のチャンネルをグループに分けることができるため、調整操作器を基準にグループにまとめられるチャンネルを視覚的に把握しつつチャンネルを選択することができることになり、操作が簡便になる。
【００１２】
さらに、本発明の音響調整装置は、前記複数の選択操作器が操作された回数を計数する計数器を備え、前記グループ分け器は、前記回数に基づいて、前記複数の選択操作器のうち連続して操作された２つの選択操作器の間に配置された前記複数の調整操作器にそれぞれ対応するチャンネルをグループに分けるようにした構成を有している。
【００１３】
この構成により、グループに分けたいチャンネルに対応する調整操作器が間に配置された選択操作器を操作するだけでチャンネルを複数のグループに分けることができるため、操作が簡便になる。
【００１４】
さらに、本発明の音響調整装置は、前記選択操作器が操作されている時間を計時する計時器と、一定時間操作された前記選択操作器に対応するチャンネルを含むグループを解除するグループ解除器とを備える構成を有している。
【００１５】
この構成により、作成したグループに含まれるチャンネルに対応する選択操作器を一定時間操作するだけで、グループを解除することができるため、操作が簡便になる。
【００１６】
さらに、本発明の音響調整装置は、前記複数の表示器は、隣り合う前記複数の調整操作器の間に配置された構成を有している。
【００１７】
この構成により、選択操作器と同様の感覚で表示を確認することができるため、操作が簡便になる。
【００１８】
さらに、本発明の音響調整装置は、前記複数の表示器は、前記選択操作器と一体に形成された構成を有している。
【００１９】
この構成により、選択操作器と表示器とを分けて配置した場合と比較して、表示器を配置する分だけ省スペース化することができるため、装置を小さくすることができる。
【００２０】
さらに、本発明の音響調整装置は、前記複数の表示器は、グループ毎に互いに異なる色で表示するようにした構成を有している。
【００２１】
この構成により、複数のグループを作成した場合でも、色の違いによってどのチャンネルがどのグループに含まれるか一見して判別することができるため、操作が簡便になる。
【００２２】
【発明の実施の形態】
以下、本発明の実施の形態について、図面を用いて説明する。
【００２３】
（第１の実施の形態）
図１は、本発明の第１の実施の形態の音響調整装置１００の構成図である。
【００２４】
図１において、複数の音響信号入力端子１１乃至１６は、音響信号がチャンネル毎に入力されるものである。音響信号調整器２０は、入力された音響信号について、音量および音質の何れかまたは両方を調整するものである。複数の音響信号出力端子３１、３２は、調整された音響信号を後述の発音体４１、４２に出力するものである。複数の発音体４１、４２は、入力された音響信号を音に変換して、発音するものである。
【００２５】
複数のフェーダ１１１乃至１１６は、複数のチャンネルの音響信号について、チャンネル毎に調整操作が行われるものである。例えば、第１のチャンネルの音響信号のレベルについて調整する場合、第１のフェーダ１１１はスライド操作されるものである。なお、複数のフェーダ１１１乃至１１６は、それぞれ本発明の音響調整装置における調整操作器を構成する。
【００２６】
複数の選択スイッチ１２１乃至１２７は、複数のフェーダ１１１乃至１１６のそれぞれを間に置くように配置され、複数のチャンネルから分けられるグループの最小番号のチャンネルと最大番号のチャンネルとを選択する操作がされるものである。例えば、第１のチャンネルから第３のチャンネルまでをグループに分ける場合、第１のチャンネルに対応する第１のフェーダ１１１の左側に配置された第１の選択スイッチ１２１と第３のチャンネルに対応する第３のフェーダ１１３の右側に配置された第４の選択スイッチ１２４とが押下されるものである。なお、複数の選択スイッチ１２１乃至１２７は、それぞれ本発明の音響調整装置における選択操作器を構成する。
なお、「複数の調整操作器は、複数の選択操作器の間に配置される」とは、各調整操作器そのものが隣り合う２つの選択操作器の間に配置されるだけでなく、図１に示すように、各調整操作器の軸線の延長線が隣り合う２つの選択操作器の間に配置されることも含む。
【００２７】
複数の表示灯１８１乃至１８６は、グループに分けられたチャンネルを表示するものである。例えば、第１の表示灯１８１は、点灯することにより、最も近い第１のフェーダ１１１に対応する第１のチャンネルがグループに分けられていることを示すものである。なお、複数の表示灯１８１乃至１８６は、それぞれ本発明の音響調整装置における表示器を構成する。
【００２８】
グループ分け器１５０は、複数のフェーダ１１１乃至１１６のうちで、複数の選択スイッチ１２１乃至１２７の押下された２つの選択スイッチの間にあるフェーダ全てにそれぞれ対応するチャンネルをグループに分けるものである。例えば、第１の選択スイッチ１２１と第４の選択スイッチ１２４とが押下された場合、第１のチャンネルと第２のチャンネルと第３のチャンネルとをグループに分けるものである。
【００２９】
また、グループ分け器１５０は、複数の表示灯１８１乃至１８６のうち、グループに分けられているチャンネルに対応するものを点灯させるものである。例えば、第１のチャネルと第２のチャンネルと第３のチャンネルとがグループに分けられている場合、グループ分け器１５０は、第１の表示灯１８１と第２の表示灯１８２と第３の表示灯１８３とを点灯させるものである。
【００３０】
次に、本実施の形態の音響調整装置１００の動作について説明する。
【００３１】
以下、第１のチャンネルと第２のチャンネルと第３のチャンネルとをグループに分ける場合について説明する。
【００３２】
第１の選択スイッチ１２１と第４の選択スイッチ１２４とが押下されたとき、まず、グループ分け器１５０によって、第１の選択スイッチ１２１と第４の選択スイッチ１２４とが押下されたことが検出される。
【００３３】
次に、グループ分け器１５０によって、第１の選択スイッチ１２１と第４の選択スイッチ１２４との間に配置された第１のフェーダ１１１と第２のフェーダ１１２と第３のフェーダ１１３とにそれぞれ対応する第１のチャンネルと第２のチャンネルと第３のチャンネルとがグループに分けられる。また、第１のチャンネルと第２のチャンネルと第３のチャンネルとがグループに分けられたという情報、すなわちグループ分け情報がグループ分け器１５０から音響信号調整器２０に出力される。さらに、グループ分け器１５０によって、図２に示すように、第１の表示灯１８１と第２の表示灯１８２と第３の表示灯１８３とが点灯され、第１のチャンネルと第２のチャンネルと第３のチャンネルとがグループに分けられたことが示される。
【００３４】
次に、音響信号調整器２０によって、グループ分け情報に基づいて、第１のチャンネルの音響信号と第２のチャンネルの音響信号と第３のチャンネルの音響信号とが同様に調整される。ここでいう「調整」とは例えば、第１のチャンネルの音響信号と第２のチャンネルの音響信号と第３のチャンネルの音響信号、それぞれの高周波成分が同様にカットされることを含む。
【００３５】
次に、調整された音響信号が、第１の音響信号出力端子３１と第２の音響信号出力端子３２とを介して、第１の発音体４１と第２の発音体４２とに出力され、第１の発音体４１と第２の発音体４２とによって、音響信号が音に変換され、発音される。
【００３６】
以上説明したように、本発明の第１の実施の形態の音響調整装置１００は、複数のチャンネルの音響信号についてチャンネル毎に調整する操作がされる複数のフェーダ１１１乃至１１６と、複数のチャンネルから分けられるグループの最小番号のチャンネルと最大番号のチャンネルとを選択操作する複数の選択スイッチ１２１乃至１２７と、最小番号から最大番号までのチャンネルをグループに分けるグループ分け器１５０と、グループに分けられたチャンネルを表示する複数の表示灯１８１乃至１８６とを備えるので、２つの選択スイッチを操作するだけで、複数のチャンネルをグループに分けることができることになり、操作を簡便にすることができる。
【００３７】
また、複数のフェーダ１１１乃至１１６は、複数の選択スイッチ１２１乃至１２７の間に配置され、グループ分け器１５０は、複数の選択スイッチ１２１乃至１２７のうち押下された２つの選択スイッチの間にあるフェーダ全てにそれぞれ対応するチャンネルをグループに分けるようにしたので、複数のフェーダ１１１乃至１１６を基準にグループにまとめられるチャンネルを視覚的に把握しつつチャンネルを選択することができることになり、操作性が良くなる。
【００３８】
（第２の実施の形態）
図３は、本発明の第２の実施の形態の音響調整装置装置３００の構成図である。
【００３９】
図３において、図１に示した第１の実施の形態の音響調整装置１００と同じ構成要素には、同じ符号を付して説明を省略する。
【００４０】
複数の表示灯３８１乃至３８５は、複数のフェーダ１１１乃至１１６のそれぞれの間に配置され、グループに分けられたチャンネルを表示するものである。例えば、第１の表示灯３８１は、点灯することにより、両隣にある第１のフェーダ１１１と第２のフェーダ１１２にそれぞれ対応する第１のチャンネルと第２のチャンネルとがグループに分けられていることを示すものである。なお、複数の表示灯３８１乃至３８５は、それぞれ本発明の音響調整装置における表示器を構成する。
【００４１】
グループ分け器３５０は、複数のフェーダ１１１乃至１１６のうち、複数の選択スイッチ１２１乃至１２７の押下された２つの選択スイッチの間にあるフェーダ全てにそれぞれ対応するチャンネルをグループに分けるものである。
【００４２】
また、グループ分け器３５０は、複数の表示灯３８１乃至３８５のうち、グループに分けられているチャンネルに対応するものを点灯させるものである。例えば、第１のチャネルと第２のチャンネルと第３のチャンネルとがグループに分けられている場合、第１の表示灯３８１と第２の表示灯３８２とを点灯させるものである。
【００４３】
次に、本実施の形態の音響調整装置３００の動作について説明する。
【００４４】
以下、第１のチャンネルと第２のチャンネルと第３のチャンネルとをグループにまとめる場合について説明する。
【００４５】
第１の選択スイッチ１２１と第４の選択スイッチ１２４とが押下されたとき、まず、グループ分け器３５０によって、第１の選択スイッチ１２１と第４の選択スイッチ１２４とが押下されたことが検出される。
【００４６】
次に、グループ分け器３５０によって、第１の選択スイッチ１２１と第４の選択スイッチ１２４との間に配置された第１のフェーダ１１１と第２のフェーダ１１２と第３のフェーダ１１３とにそれぞれ対応する第１のチャンネルと第２のチャンネルと第３のチャンネルとがグループに分けられる。また、第１のチャンネルと第２のチャンネルと第３のチャンネルとがグループに分けられたという情報、すなわちグループ分け情報がグループ分け器３５０から音響信号調整器２０に出力される。さらに、グループ分け器３５０によって、図４に示すように、第１の表示灯３８１と第２の表示灯３８２とが点灯され、第１のチャンネルと第２のチャンネルと第３のチャンネルとがグループに分けられたことが示される。
【００４７】
次に、音響信号調整器２０によって、グループ分け情報に基づいて、第１のチャンネルの音響信号と第２のチャンネルの音響信号と第３のチャンネルの音響信号とが同様に調整される。ここでいう「調整」とは、前述同様に例えば、第１のチャンネルの音響信号と第２のチャンネルの音響信号と第３のチャンネルの音響信号それぞれの高周波成分が同様にカットされることを含む。
【００４８】
次に、調整された音響信号が、第１の音響信号出力端子３１と第２の音響信号出力端子３２とを介して第１の発音体４１と第２の発音体４２とに出力され、第１の発音体４１と第２の発音体４２とによって、音響信号が音に変換され、発音される。
【００４９】
以上説明したように、本発明の第２の実施の形態の音響調整装置３００は、複数のフェーダ１１１乃至１１６のそれぞれの間に表示灯３８１乃至３８５が配置されているので、選択スイッチ１２１乃至１２７と同様の感覚で表示を確認することができる。
【００５０】
（第３の実施の形態）
図５は、本発明の第３の実施の形態の音響調整装置５００の構成図である。
【００５１】
図５において、図１に示した第１の実施の形態の音響調整装置１００と同じ構成要素は、同じ符号を付して説明を省略する。
【００５２】
表示灯を有する複数の選択スイッチ５２１乃至５２７は、複数のフェーダ１１１乃至１１６のそれぞれを間に置くように配置され、チャンネルの選択操作がされるとともに、グループに分けられたチャンネルを表示するものである。例えば、第２の選択スイッチ５２２の表示灯は、点灯することにより、両隣にある第１のフェーダ１１１と第２のフェーダ１１２にそれぞれ対応する第１のチャンネルと第２のチャンネルとがグループに分けられていることを示すものである。なお、複数の選択スイッチ５２１乃至５２７は、それぞれ本発明の音響調整装置における選択操作器および表示器を構成する。
【００５３】
グループ分け器５５０は、複数のフェーダ１１１乃至１１６のうちで、複数の選択スイッチ５２１乃至５２７の押下された２つの選択スイッチの間にあるフェーダ全てにそれぞれ対応するチャンネルをグループに分けるものである。例えば、第１の選択スイッチ５２１と第４の選択スイッチ５２４とが押下された場合、第１のチャンネルと第２のチャンネルと第３のチャンネルとをグループに分けるものである。
【００５４】
また、グループ分け器５５０は、複数の選択スイッチ５２２乃至５２６の表示灯のうち、グループに分けられているチャンネルに対応するものを点灯させるものである。例えば、第１のチャネルと第２のチャンネルと第３のチャンネルとがグループに分けられている場合、第２の選択スイッチ５２２の表示灯と第３の選択スイッチ５２３の表示灯とを点灯させるものである。
【００５５】
次に、本実施の形態の音響調整装置５００の動作について説明する。
【００５６】
以下、第１のチャンネルと第２のチャンネルと第３のチャンネルとをグループに分ける場合について説明する。
【００５７】
第１の選択スイッチ５２１と第４の選択スイッチ５２４とが押下されたとき、まず、グループ分け器５５０によって、第１の選択スイッチ５２１と第４の選択スイッチ５２４とが押下されたことが検出される。
【００５８】
次に、グループ分け器５５０によって、第１の選択スイッチ５２１と第４の選択スイッチ５２４との間に配置された第１のフェーダ１１１と第２のフェーダ１１２と第３のフェーダ１１３とにそれぞれ対応する第１のチャンネルと第２のチャンネルと第３のチャンネルとがグループに分けられる。また、第１のチャンネルと第２のチャンネルと第３のチャンネルとがグループに分けられたという情報、すなわちグループ分け情報がグループ分け器５５０から音響信号調整器２０に出力される。さらに、グループ分け器５５０によって、図６に示すように、第２の選択スイッチ５２２の表示灯と第３の選択スイッチ５２３の表示灯とが点灯され、第１のチャンネルと第２のチャンネルと第３のチャンネルとがグループに分けられたことが示される。
【００５９】
次に、音響信号調整器２０によって、グループ分け情報に基づいて、第１のチャンネルの音響信号と第２のチャンネルの音響信号と第３のチャンネルの音響信号とが同様に調整される。ここでいう「調整」とは、前述同様に例えば、第１のチャンネルの音響信号と第２のチャンネルの音響信号と第３のチャンネルの音響信号それぞれの高周波成分が同様にカットされることを含む。
【００６０】
次に、調整された音響信号が、第１の音響信号出力端子３１と第２の音響信号出力端子３２とを介して、第１の発音体４１と第２の発音体４２とに出力され、第１の発音体４１と第２の発音体４２とによって、音響信号が音に変換され、発音される。
【００６１】
以上説明したように、本発明の第３の実施の形態の音響調整装置は、表示灯が選択スイッチと一体に形成されているため、選択スイッチと表示灯とを分けて配置した場合と比較して、表示灯を配置する分だけ省スペース化することができる。また、選択スイッチと表示灯とを同じ視点で確認することができる。
【００６２】
（第４の実施の形態）
図７は、本発明の第４の実施の形態の音響調整装置７００の構成図である。
【００６３】
図７において、図１に示した第１の実施の形態の音響調整装置１００と同じ構成要素は、同じ符号を付して説明を省略する。
【００６４】
複数の表示灯７８１乃至７８６は、複数の色で点灯することができるものであり、グループ毎に互いに異なる色で表示するものである。例えば、第１の表示灯７８１が赤色に点灯し、第６の表示灯７８６が青色に点灯した場合は、第１のチャンネルと第６のチャンネルとは別々のグループに分けられていることを示すものである。なお、複数の表示灯７８１乃至７８６は、それぞれ本発明の音響調整装置における表示器を構成する。
【００６５】
計数器７３は、複数の選択スイッチ１２１乃至１２７が押下された回数を計数するものである。
【００６６】
計時器７４は、複数の選択スイッチ１２１乃至１２７がそれぞれ押下されている時間を計時するものである。
【００６７】
グループ分け器７５は、複数の選択スイッチ１２１乃至１２７のうちで奇数回目および偶数回目に連続して押下された２つの選択スイッチを検出し、この検出された２つの選択スイッチの間にあるフェーダ全てにそれぞれ対応するチャンネルをグループに分けるものである。例えば、１回目に第１の選択スイッチ１２１が押下され、２回目に第４の選択スイッチ１２４が押下されたとき、第１のチャンネルと第２のチャンネルと第３のチャンネルとを第１のグループに分け、３回目に第５の選択スイッチ１２５が押下され、４回目に第７の選択スイッチ１２７が押下されたとき、第５のチャンネルと第６のチャンネルとを第２のグループに分けるものである。
【００６８】
グループ解除器７６は、計時器７４によって計時された複数の選択スイッチ１２１乃至１２７のそれぞれが押下されている時間が一定時間を越えた場合に、押下されている選択スイッチにそれぞれ対応するチャンネルが含まれるグループを解除するものである。例えば、第２の選択スイッチ１２２が一定時間を越えて押下され続けた場合、第１のチャンネルと第２のチャンネルとが含まれるグループが解除されるものである。なお、第１の選択スイッチ１２１が一定時間を越えて押下された場合、第１のチャンネルが含まれるグループが解除され、第７の選択スイッチ１２７が一定時間を越えて押下された場合、第６のチャンネルが含まれるグループが解除されるものである。
【００６９】
表示色決定器７７は、複数のグループが作成された場合において、それぞれのグループ毎に表示色を異ならせて、複数の表示灯７８１乃至７８６のうち、それぞれのグループに分けられているチャンネルに対応するものを点灯させるものである。例えば、第１のチャンネルと第２のチャンネルと第３のチャンネルとが第１のグループであり、第５のチャンネルと第６のチャンネルとが第２のグループである場合、第１の表示灯７８１と第２の表示灯７８２と第３の表示灯７８３とが赤色で点灯させられ、第５の表示灯７８５と第６の表示灯７８６とが青色で点灯されるものである。
【００７０】
次に、本実施の形態の音響調整装置７００の動作について説明する。
【００７１】
まず、第１のチャンネルと第２のチャンネルと第３のチャンネルとを第１のグループにまとめ、第５のチャンネルと第６のチャンネルとを第２のグループにまとめる場合について説明する。
【００７２】
まず、第１の選択スイッチ１２１が押下されたとき、計数器７３によって、１回目の押下が検出され、検出された押下の回数が計数器７３からグループ分け器７５に出力される。また、第４の選択スイッチ１２４が押下されたとき、計数器７３によって、２回目の押下が検出され、検出された押下の回数が計数器７３からグループ分け器７５に出力される。
【００７３】
１回目に第１の選択スイッチ１２１が押下されたという情報と２回目に第４の選択スイッチ１２４が押下されたという情報とがグループ分け器７５に入力された段階で、グループ分け器７５によって、第１のチャンネルと第２のチャンネルと第３のチャンネルとが第１のグループに分けられる。また、第１のチャンネルと第２のチャンネルと第３のチャンネルとが第１のグループに分けられたという情報、すなわちグループ分け情報が、表示色決定器７７と音響信号調整器２０とに出力される。
【００７４】
次に、表示色決定器７７によって、グループ分け情報に基づいて、図８に示すように第１の表示灯７８１と第２の表示灯７８２と第３の表示灯７８３とが第１の色、例えば赤色で点灯され、第１のチャンネルと第２のチャンネルと第３のチャンネルとがグループに分けられたことが示される。
【００７５】
次に、第５の選択スイッチ１２５が押下されたとき、計数器７３によって、３回目の押下が検出され、検出された押下の回数が計数器７３からグループ分け器７５に出力される。また、第７の選択スイッチ１２７が押下されたとき、計数器７３によって、４回目の押下が検出され、検出された押下の回数が計数器７３からグループ分け器７５に出力される。
【００７６】
３回目に第５の選択スイッチ１２５が押下されたという情報と４回目に第７の選択スイッチ１２７が押下されたという情報とがグループ分け器７５に入力された段階で、グループ分け器７５によって、第５のチャンネルと第６のチャンネルとが第２のグループに分けられる。また、第５のチャンネルと第６のチャンネルとが第２のグループに分けられたという情報、すなわちグループ分け情報が、表示色決定器７７と音響信号調整器２０とに出力される。
【００７７】
次に、表示色決定器７７によって、グループ分け情報に基づいて、図８に示すように第５の表示灯７８５と第６の表示灯７８６とが第２の色、例えば青色に点灯され、第５のチャンネルと第６のチャンネルとがグループに分けられたことが示される。
【００７８】
次に、音響信号調整器２０によって、第１のチャンネルの音響信号と第２のチャンネルの音響信号と第３のチャンネルの音響信号とが同様に調整され、第５のチャンネルの音響信号と第６のチャンネルの音響信号とが同様に調整される。ここでいう「調整」とは、前述同様に例えば、第１のチャンネルの音響信号と第２のチャンネルの音響信号と第３のチャンネルの音響信号それぞれの高周波成分が同様にカットされるとともに、第５のチャンネルの音響信号と第６のチャンネルの音響信号とにリバーブが同様にかけられることを含む。
【００７９】
次に、調整された音響信号が、第１の音響信号出力端子３１と第２の音響信号出力端子３２とを介して第１の発音体４１と第２の発音体４２とに出力され、第１の発音体４１と第２の発音体４２とによって、音響信号が音に変換され、発音される。
【００８０】
次に、第１のグループを解除する場合について説明する。
【００８１】
第１の選択スイッチ１２１、第２の選択スイッチ１２２、第３の選択スイッチ１２３、および第４の選択スイッチ１２４の何れかが一定時間を越えて押下されたとき、まず、計時器７４によって、第１の選択スイッチ１２１、第２の選択スイッチ１２２、第３の選択スイッチ１２３、および第４の選択スイッチ１２４の何れかが一定時間を越えて押下されたことが検出される。
【００８２】
次に、グループ解除器７６によって、第１のグループが解除され、第１のグループが解除されたこと、すなわちグループ解除情報が表示色決定器７７と音響信号調整器２０とに出力される。
【００８３】
次に、表示色決定器７７によって、グループ解除情報に基づいて、第１の表示灯７８１と第２の表示灯７８２と第３の表示灯７８３とが消灯され、第１のグループが解除されたことが示される。
【００８４】
次に、音響信号調整器２０によって、第１のチャンネルの音響信号と第２のチャンネルの音響信号と第３のチャンネルの音響信号とが個別に調整される。
【００８５】
以上説明したように、本発明の第４の実施の形態の音響調整装置７００は、複数のグループを作成する場合にも、それぞれのグループに含まれるチャンネルに対応するフェーダを間に配置された選択スイッチを押下するだけでチャンネルを複数のグループに分けることができる。また、作成したグループに含まれるチャンネルに対応する選択スイッチを一定時間押下するだけで、グループを解除することができる。
【００８６】
（第５の実施の形態）
図９は、本発明の第５の実施の形態の音響調整装置９００の構成図である。
【００８７】
図９において、図７に示した第４の実施の形態の音響調整装置７００と同じ構成要素は、同じ符号を付して説明を省略する。
【００８８】
表示灯を有する複数の選択スイッチ９２１乃至９２７は、複数のフェーダ１１１乃至１１６のそれぞれを間に置くように配置され、チャンネルの選択操作がされるとともに、複数の色で点灯することができる表示灯により、複数のグループに分けられたチャンネルを表示するものである。例えば、第２の選択スイッチ９２２の表示灯が、赤色に点灯することにより、両隣にある第１のフェーダ１１１と第２のフェーダ１１２にそれぞれ対応する第１のチャンネルと第２のチャンネルとが第１のグループに分けられていることを示すものである。また、例えば、第６の選択スイッチ９２６の表示灯が、青色に点灯することにより、両隣にある第５のフェーダ１１５と第６のフェーダ１１６にそれぞれ対応する第５のチャンネルと第６のチャンネルとが第２のグループに分けられていることを示すものである。
【００８９】
グループ解除器９６は、計時器７４によって計時された複数の選択スイッチ９２２乃至９２６のそれぞれが押下されている時間が一定時間を越えた場合に、押下されている選択スイッチにそれぞれ対応するチャンネルが含まれるグループを解除するものである。例えば、第２の選択スイッチ９２２が一定時間を越えて押下され続けた場合、第１のチャンネルと第２のチャンネルとが含まれるグループが解除される。
【００９０】
表示色決定器９７は、複数のグループが作成された場合において、それぞれのグループ毎に表示色を異ならせて、複数の選択スイッチ９２２乃至９２６の表示灯のうち、それぞれのグループに分けられているチャンネルに対応するものを点灯させるものである。例えば、第１のチャンネルと第２のチャンネルと第３のチャンネルが第１のグループであり、第５のチャンネルと第６のチャンネルが第２のグループである場合、第２の選択スイッチ９２２の表示灯と第３の選択スイッチ９２３の表示灯とが赤色で点灯させられ、第６の選択スイッチの表示灯９２６が青色で点灯させられるものである。
【００９１】
次に、本実施の形態の音響調整装置９００の動作について説明する。
【００９２】
まず、第１のチャンネルと第２のチャンネルと第３のチャンネルとを第１のグループに分け、第５のチャンネルと第６のチャンネルとを第２のグループに分ける場合について説明する。
【００９３】
１回目に第１の選択スイッチ９２１が押下され、２回目に第４の選択スイッチ９２４が押下されたとき、まず、計数器７３によって、押下の回数が計数され、次に、グループ分け器７５によって、第１のチャンネルと第２のチャンネルと第３のチャンネルとが第１のグループに分けられ、次に、表示色決定器９７によって、図１０に示すように第２の選択スイッチ９２２の表示灯と第３の選択スイッチ９２３の表示灯とが第１の色、例えば赤色に点灯され、第１のチャンネルと第２のチャンネルと第３のチャンネルとがグループに分けられたことが示される。また、３回目に第５の選択スイッチ９２５が押下され、４回目に第７の選択スイッチ９２７が押下されたとき、まず、計数器７３によって、押下の回数が計数され、次に、グループ分け器７５によって、第５のチャンネルと第６のチャンネルとが第２のグループに分けられ、次に、表示色決定器９７によって、図１０に示すように第６の選択スイッチ９２６の表示灯が第２の色、例えば青色に点灯され、第５のチャンネルと第６のチャンネルとがグループに分けられたことが示される。
【００９４】
次に、第１のグループを解除する場合について説明する。
【００９５】
第１の色で点灯した第２の選択スイッチ９２２および第３の選択スイッチ９２３の何れかが一定時間を越えて押下され続けたとき、まず、計時器７４によって第２の選択スイッチ９２２および第３の選択スイッチ９２３の何れかが一定時間を越えて押下され続けたことが検出され、次に、グループ解除器９６によって、第１のグループが解除され、次に、表示色決定器９７によって、第２の選択スイッチ９２２の表示灯と第３の選択スイッチ９２３の表示灯とが消灯され、第１のグループが解除されたことが示される。
【００９６】
以上説明したように、本発明の第５の実施の形態の音響調整装置９００は、複数のグループを作成する際にも、選択スイッチを押下するだけで複数のチャンネルを複数のグループに分けることができる。また、作成したグループに含まれるチャンネルに対応する選択スイッチを一定時間押下するだけで、グループを解除することができる。また、表示灯が選択スイッチと一体に形成されているため、選択スイッチと表示灯とを分けて配置した場合と比較して、表示灯を配置する分だけ省スペース化することができる。さらに、選択スイッチと表示灯とを同一の視点で確認することができる。
【００９７】
なお、前述の第１から第５までの実施の形態において、本発明の音響調整装置における調整操作器を、スライド操作によって調整操作がされるフェーダによって構成した例について説明したが、回転式ボリューム調整器その他の調整操作器によって構成してもよい。また、本発明の音響調整装置における選択操作器を、押下操作によって選択操作がされる選択スイッチによって構成した例について説明したが、トグルスイッチその他の選択操作器によって構成してもよい。また、本発明の音響調整装置における表示器は、発光ダイオードその他のどのような表示器によって構成してもよい。
【００９８】
また、前述の第１から第５までの実施の形態において、本発明の音響信号調整器が、同一のグループに含まれる複数のチャンネルの音響信号について、高周波成分を同様にカットする例およびリバーブをかける例について説明したが、その他音質の調整や音量の調整を行なうようにしてもよい。
【００９９】
【発明の効果】
以上説明したように、本発明は、操作を簡便にすることができる音響調整装置を提供することができるものである。
【図面の簡単な説明】
【図１】本発明の第１の実施の形態の音響調整装置のブロック図
【図２】本発明の第１の実施の形態の音響調整装置におけるチャンネルのグループ分け状態を示すブロック図
【図３】本発明の第２の実施の形態の音響調整装置のブロック図
【図４】本発明の第２の実施の形態の音響調整装置におけるチャンネルのグループ分け状態を示すブロック図
【図５】本発明の第３の実施の形態の音響調整装置のブロック図
【図６】本発明の第３の実施の形態の音響調整装置におけるチャンネルのグループ分け状態を示すブロック図
【図７】本発明の第４の実施の形態の音響調整装置のブロック図
【図８】本発明の第４の実施の形態の音響調整装置におけるチャンネルのグループ分け状態を示すブロック図
【図９】本発明の第５の実施の形態の音響調整装置のブロック図
【図１０】本発明の第５の実施の形態の音響調整装置におけるチャンネルのグループ分け状態を示すブロック図
【図１１】従来の音響調整装置のブロック図
【符号の説明】
１００、３００、５００、７００、９００　音響調整装置
１１１、１１２、１１３、１１４、１１５、１１６　フェーダ（調整操作器）
１２１、１２２、１２３、１２４、１２５、１２６、１２７　選択スイッチ（選択操作器）
１８１、１８２、１８３、１８４、１８５、１８６、３８１、３８２、３８３、３８４、３８５、７８１、７８２、７８３、７８４、７８５、７８６　表示灯（表示器）
５２１、５２２、５２３、５２４、５２５、５２６、５２７、９２１、９２２、９２３、９２４、９２５、９２６、９２７　表示灯付き選択スイッチ（表示器および選択操作器）
１１、１２、１３、１４、１５、１６　音響信号入力端子
２０　音響信号調整器
３１、３２　音響信号出力端子
４１、４２　発音体
７３　計数器
７４　計時器
７５、１５０、３５０、５５０　グループ分け器
７６、９６　グループ解除器
７７、９７　表示色決定器
【図１】
2004064684.tif 000003
【図２】
2004064684.tif 000004
【図３】
2004064684.tif 000005
【図４】
2004064684.tif 000006
【図５】
2004064684.tif 000007
【図６】
2004064684.tif 000008
【図７】
2004064684.tif 000009
【図８】
2004064684.tif 000010
【図９】
2004064684.tif 000011
【図１０】
2004064684.tif 000012
【図１１】
2004064684.tif 000013